(57)【要約】【課題】操作レバー、シートベルトのベルトアンカーが、いずれも、サイドフレームの外部に配置されるため、相互には干渉しやすく、干渉のない配置をしなければならず、設計の自由度が制約される。【解決手段】リクライニング軸２０ａがリクライニングデバイス２０を連動可能に挿通して延び、ロックアーム１４がサイドフレーム３０の内側でリクライニング軸に固定されている。リンク１６がロックアーム１４に連結されて前方に延び、その前端にレバーアーム１３が連結されている。レバーアーム１３は、回動ピン１３ａによってサイドフレーム３０の内側でサイドフレームに回動可能に軸支され、シートベルト４４の延びるベルトアンカー４６と干渉しない位置でサイドフレームの切り欠き３０ａからサイドフレームの外側に出て、レバーアームの前端にレバー本体１２が取付けられている。【選択図】図１
2008080816.tif 000002
【特許請求の範囲】
【請求項１】
リクライニングデバイスがロック機構を内蔵し、ロック機構の連動されるリクライニング軸がリクライニングデバイスを挿通して延び、ロックアームがサイドフレームの内側でリクライニング軸に固定され、
シートベルトの延びたベルトアンカーと干渉しない位置でサイドフレームの外方位置に延出された操作レバーの操作による、リクライニング軸を伴ったロックアームの回動により、ロック機構のロックを解除するリクライニング装置の操作レバー構造。
【請求項２】
リクライニングデバイスがロック機構を内蔵し、ロック機構の連動されるリクライニング軸がリクライニングデバイスを挿通して延び、ロックアームがリクライニング軸に固定され、操作レバーの操作による、リクライニング軸を伴ったロックアームの回動により、ロック機構のロックを解除するリクライニング装置の操作レバー構造において、
ロックアームはサイドフレームの内側でリクライニング軸に固定され、
操作レバーはレバー本体と一体化されたレバーアームを持ち、レバーアームは、サイドフレームの切り欠きを介し、その後端がシートベルトの延びたベルトアンカーと干渉しない位置でサイドフレームの内側に延びてサイドフレームの内側でサイドフレームに軸支され、
サイドフレームの内側で、レバーアームの後端がリンクを介してロックアームに連結されていることを特徴とするリクライニング装置の操作レバー構造。
【請求項３】
リクライニングデバイスがロック機構を内蔵し、ロック機構の連動されるリクライニング軸がリクライニングデバイスを挿通して延び、ロックアームがリクライニング軸に固定され、操作レバーの操作による、リクライニング軸を伴ったロックアームの回動により、ロック機構のロックを解除するリクライニング装置の操作レバー構造において、
ロックアームはサイドフレームの内側でリクライニング軸に固定され、
操作レバーはレバー本体と一体化されたレバーアームを持ち、
ロックアームに連結されたリンクが、サイドフレームの切り欠きを介して、シートベルトの延びたベルトアンカーと干渉しない位置でサイドフレームの外側に延びるとともに、サイドフレームの外側でレバーアームの後端に連結され、
レバーアームはリンクとの連結端においてサイドフレームの外側でサイドフレームに軸支されていることを特徴とするリクライニング装置の操作レバー構造。
【発明の詳細な説明】
【技術分野】
【０００１】
本発明は、シートバックを傾斜させるためのリクライニング装置の操作レバー構造に関する。
【背景技術】
【０００２】
シートバックをシートクッションに対して前後方向に揺動可能に支持し、シートバックを揺動させてその傾斜角度(リクライニング角度)を任意に設定、調整するリクライニング装置が、自動車などのシート（車両用シート）を初めとして各種のシートに採用されている。
【０００３】
リクライニング装置は、結合軸（リクライニング軸）の挿通されたリクライニングデバイスを持ち、シートクッション側に装着されたベースプレート（固定側部材）とシートバック側に装着されたアームプレート（可動側部材）とを結合軸（リクライニング軸）でヒンジ結合して、シートバックを揺動可能としている。そして、シートバックの揺動は、リクライニングデバイスに内蔵されたロック機構でロックされており、リクライニング軸を回動することによりロック機構のロックが解除されて、シートバックが揺動可能となる。
【０００４】
リクライニング軸を回動してロック機構のロックを解除する操作レバー（リクライニングレバー；ロック解除レバー）は、通常、シートクッションの窓側（車壁側；アウターサイド）に設けられている。操作レバーは、シート着座者によって主に操作され、操作レバーを上に引けば、その操作力がリクライニング軸と一体化されたロックアームに伝達され、そのロックアームがリクライニング軸と共に回動されて、ロック機構のロックが解除される。
通常は、操作レバーがそのレバー本体をロックアームに直結して構成され、シートクッションのほぼ後端に位置しているため、シート着座者は手を後方に大きく伸ばし、手探りで操作レバー（レバー本体）を捜して操作することとなり、操作性に劣る。
そのため、レバー本体、ロックアーム間にリンクを介在させ、レバー本体を前方に位置させて操作レバーの操作性を改善したものが提案されている（たとえば、特開２０００−０１６１２８号公報）。
【特許文献１】特開特開２０００−０１６１２８号公報
【発明の開示】
【発明が解決しようとする課題】
【０００５】
上記のように、操作レバーは、シートクッションの窓側（車壁側；アウターサイド）に設けられている。ここで、シートにはシートベルトが装着されており、三点支持のシートベルトにおいては、ショルダーアンカーとシートベルト末端の固定された固定アンカーとがシートクッションの窓側に、タングの嵌合されるバックルが逆側に（車内側；インナーサイド）、それぞれ位置している。
【０００６】
操作レバー、シートベルトの関係について図３、図４（Ｂ）を参照しながら説明する。まず、リクライニング装置の操作レバーについて概略的に述べると、図３は、従来における車両用シートの部分背面斜視図、図４（Ｂ）はリクライニング装置の操作レバーの正面図をそれぞれ示す。
図３に示すように、操作レバー１０によってロック解除されるリクライニング装置のリクライニングデバイス２０は、断面略コ形状のサイドフレーム３０の内側に設けられ、リクライニングデバイスを連動可能に挿通するリクライニング軸２０ａがサイドフレームを介して外部に突出している。
【０００７】
たとえば、操作レバー１０は、インナー成形されたレバーアーム１３を持つ樹脂製のレバー本体１２と、サイドフレーム３０からのリクライニング軸２０ａの突出端に固定されたロックアーム１４と、レバー本体、ロックアームを連結するリンク１６とを備えて形成されている。ここで、リンク１６の前端はレバーアーム１３に、後端はロックアーム１４にそれぞれ連結ピン１６ａで連結されている。また、レバーアーム１３は、リンク１６との連結端において幅広形状とされ、回動ピン１３ａによってサイドフレーム３０に回動可能に軸支されている。
【０００８】
なお、サイドフレーム３０はブラケット３２に昇降可能に支持され、ブラケットはアッパーレール３４Ｕ上に固定され、アッパーレールはロアレール内にスライド可能に収納されている。また、シートクッション４０が左右のサイドフレーム３０間に載置され、シートクッションの後端に位置するシートバック４２の下端部を介してリクライニング軸２０ａが左右のサイドフレーム間に延びている。
【０００９】
図４（Ｂ）において、上記構成のレバー本体１２を矢印で示すように上に引けば、レバーアーム１３が回動ピン１３ａを回動中心として反時計方向に回動し、リンク１６が右（前方）に引かれてロックアーム１４がリクライニング軸２０ａを伴なって反時計方向に回動して、リクライニングデバイス２０内のロック機構のロックが解除される。
【００１０】
次に、シートベルト４４について述べる。図３に示すように、ベルトアンカー４６が、たとえばアッパーレール３４Ｕ上のブラケット３２に取付ピン３２ａなどによって回動自在に連結され、このベルトアンカーにシートベルト端末が取付けられている。ベルトアンカー４６から延びたシートベルト４４は、そのタングを車内側のバックル（図示しない）に嵌合することにより、着座者の腰部をシートクッション４０上で拘束する。また、シートベルト４４は、車内側のバックルと車壁側のショルダーアンカー（図示しない）との間に掛け渡されて、着座者の上半身を拘束する。
【００１１】
このように、サイドフレーム３０から外部に突出したリクライニング軸２０ａの端（突出端）にロックアーム１４を固定させて、操作レバー１０がサイドフレームの外側に配置されるとともに、サイドフレームの外側でブラケット３２に、ベルトアンカー４６を取付ピン３２ａなどにより回動可能に連結させて、シートベルト４４がベルトアンカーから上方に延びている。サイドフレーム３０の外部に、シートベルト４４の延びたベルトアンカー４６と操作レバー１０とをシートクッション４０の内外方向で隣接して配置したこの構成では、シートベルト、操作レバーが相互には干渉しやすく、干渉のない配置をしなければならないため、設計の自由度が制約される。
【００１２】
図面の複雑化を避けるために図示しないが、一般的に、シートハイト機構（シートリフター）がサイドフレーム３０の後端部でサイドフレームの内部に配置されており、シートハイト機構のブレーキユニットがサイドフレームにボルト止めされて、ボルトヘッドがサイドフレームから外方に突出している。そのため、ボルトヘッドによる干渉を避けてリンク１６を伸ばす延ばす必要があり、図４（Ｂ）に示すように、たとえば、リンクの前半部はボルトヘッドを避けて上方に一端逃げてから下方に延びた形状とされ、操作レバーの形状が複雑化して見栄えの悪いものとなる。さらに、形状の複雑化は、操作レバー１０の操作性に悪い影響を与えている。
【００１３】
本発明は、シートクッション４０の内外方向で隣接して配置されるベルトアンカーなどとの干渉のない位置に配置可能なリクライニング装置の操作レバー構造の提供を目的としている。
【課題を解決するための手段】
【００１４】
本発明では、ロックアームがサイドフレームの内側でリクライニング軸に固定されている。
すなわち、請求項１の本発明においては、リクライニングデバイスがロック機構を内蔵し、ロック機構の連動されるリクライニング軸がリクライニングデバイスを挿通して延び、ロックアームがサイドフレームの内側でリクライニング軸に固定され、シートベルトの延びたベルトアンカーと干渉しない位置でサイドフレームの外方位置に延出された操作レバーの操作による、リクライニング軸を伴ったロックアームの回動により、ロック機構のロックを解除する構成となっている。
また、請求項２の本発明においては、リクライニングデバイスがロック機構を内蔵し、ロック機構の連動されるリクライニング軸がリクライニングデバイスを挿通して延び、ロックアームがリクライニング軸に固定され、操作レバーの操作による、リクライニング軸を伴ったロックアームの回動により、ロック機構のロックを解除するリクライニング装置の操作レバー構造において、ロックアームはサイドフレームの内側でリクライニング軸に固定され、操作レバーはレバー本体と一体化されたレバーアームを持ち、レバーアームは、サイドフレームの切り欠きを介し、その後端がシートベルトの延びたベルトアンカーと干渉しない位置でサイドフレームの内側に延びてサイドフレームの内側でサイドフレームに軸支され、サイドフレームの内側で、レバーアームの後端がリンクを介してロックアームに連結されている。
さらに、請求項３の本発明においては、リクライニングデバイスがロック機構を内蔵し、ロック機構の連動されるリクライニング軸がリクライニングデバイスを挿通して延び、ロックアームがリクライニング軸に固定され、操作レバーの操作による、リクライニング軸を伴ったロックアームの回動により、ロック機構のロックを解除するリクライニング装置の操作レバー構造において、ロックアームはサイドフレームの内側でリクライニング軸に固定され、操作レバーはレバー本体と一体化されたレバーアームを持ち、ロックアームに連結されたリンクが、サイドフレームの切り欠きを介して、シートベルトの延びたベルトアンカーと干渉しない位置でサイドフレームの外側に延びるとともに、サイドフレームの外側でレバーアームの後端に連結され、レバーアームはリンクとの連結端においてサイドフレームの外側でサイドフレームに軸支されている。
【発明の効果】
【００１５】
本発明では、隣接して位置するベルトアンカーがサイドフレームの外側にあるのに対して操作レバーのロックアームなどがサイドフレームの内側にあり、サイドフレームを介してその内外に隔離されるため、シートベルトの延びたベルトアンカーの干渉を受けることなく、操作レバーを配置できる。
【発明を実施するための最良の形態】
【００１６】
ロックアームはサイドフレームの内側でリクライニング軸に固定され、操作レバーはレバー本体と一体化されたレバーアームを持ち、レバーアームは、サイドフレームの切り欠きを介し、シートベルトの延びたベルトアンカーの干渉しない位置で、その後端がサイドフレームの内方に延びてサイドフレームの内側でサイドフレームに軸支される。そして、サイドフレームの内側で、レバーアームの後端がリンクを介してロックアームに連結される。
【実施例１】
【００１７】
以下、図面を参照しながら本発明の実施例を詳細に説明する。図１は本発明の一実施例（実施例１）に係る車両用シートの部分背面斜視図、図４（Ａ）はリクライニング装置の操作レバーの正面図をそれぞれ示す。
本発明は、ロックアームがサイドフレームの内側でリクライニング軸に固定されている構成に特徴があり、それ以外の構成は従来と同様であるため、従来と同様の構成についてはその説明を省略または概略的に述べるにとどめる。なお、従来と同じ構成部材については同じ参照符号を付している。
【００１８】
リクライニング装置のリクライニングデバイス２０は、シートクッション４０の窓側（車壁側；アウターサイド）で断面略コ形状のサイドフレーム３０の内側に設けられ、リクライニングデバイスを挿通するリクライニング軸２０ａがサイドフレームを介して外部に突出している。従来においては、操作レバーのロックアーム１４はサイドフレーム３０からのリクライニング軸２０ａの突出端に固定されて、サイドフレームの外側に位置している（図３参照）。これに対して、実施例では、ロックアーム１４は、リクライニング軸２０ａの突出端に固定されず、サイドフレーム３０の内側でリクライニング軸２０ａに固定されてサイドフレームの内側に位置している。つまり、ロックアーム１４は、リクライニングデバイス２０に対してその内側でリクライニング軸２０ａに固定されることとなる。
【００１９】
また、リンク１３が連結ピン１６ａによってロックアーム１４の内側でロックアームに連結されて前方に延び、その前端にレバーアーム１３が連結ピン１６ａで連結されている。レバーアーム１３は、回動ピン１３ａによってサイドフレーム３０の内側でサイドフレームに回動可能に軸支されており、その中間部を側方にたとえばほぼ直角に折曲し、サイドフレームに形成した切り欠き３０ａを介し、シートベルト４４の延びたベルトアンカー４６と干渉しない位置でサイドフレームの外側に出てから、レバーアームは前方に延びてその前端にレバー本体１２が一体的に取付けられている。ここで、サイドフレームの切り欠き３０ａは、回動ピン１３ａの回りでのレバーアーム１３の回動を許容する形状に形成されている。
【００２０】
ロックアーム１４がサイドフレーム３０の内側でリクライニング軸２０ａに固定された構成では、ロックアームやリンク１６がサイドフレームの内側に、シートベルト４４の延びたベルトアンカー４６がサイドフレーム３０の外側に、それぞれ位置するため、操作レバー１０とシートベルトの延びたベルトアンカーと、シートクッション４０の内外方向で重なる位置でサイドフレームを介して隔離配置される。そのため、操作レバー１０とシートベルト４４の延びたベルトアンカー４６とが互いに干渉することはなく、設計上の制約を受けることなく操作レバーを配置できる。
【００２１】
また、リクライニングデバイス２０からどの程度離れた位置でリクライニング軸２０ａにロックアーム１４を固定してサイドフレーム３０からロックアーム、リンク１６を離反させるかは比較的自由に設定できる。そのため、サイドフレーム３０にボルト止めされたシートハイト機構のブレーキユニットとの干渉も容易に回避でき、図４（Ａ）に示すように、リンク１６はその形状を複雑化することなく形成される。そのため、操作レバー１０の形状の複雑化によって操作レバーの操作性を損なうこともなく、操作性のよい操作レバーが得られる。
さらに、ロックアーム１４、リンク１６がサイドフレーム３０の内側に位置して外部から見えず、露出する部分が少ないため、見栄えのよい操作レバー１０が得られる。
【実施例２】
【００２２】
別実施例（実施例２）に係る車両用シートの部分背面斜視図を図２に示す。実施例２では、レバーアーム１３を折曲げる代わりに、側方に折曲げられたリンク１６がサイドフレーム３０の切り欠き３０ａを介して外部に伸び延び、サイドフレームの外部でリンクをレバーアームに連結させている点で実施例１と相違し、他の構成は実施例１、２において共通している。
すなわち、ロックアーム１４はサイドフレーム３０の内側でリクライニング軸２０ａに固定され、ロックアームに連結されたリンク１６が、折り曲げられて、サイドフレームの切り欠き３０ａを介し、シートベルトの延びたベルトアンカーと干渉しない位置で、サイドフレームの外側に延びている。そして、リンク１６は、サイドフレーム３０の外側でレバーアーム１３の後端に連結され、レバーアームは、リンクとの連結端においてサイドフレームの外側で回動ピン１３ａによってサイドフレームに軸支されている。
【００２３】
実施例２においても、シートクッション４０の内外方向で隣接する部分で、リンク１３、シートベルト４４の延びたベルトアンカー４６がサイドフレームの内外に隔離されて配置されるため、操作レバー１０、ベルトアンカーの干渉が避けられ、設計上の制約を受けることなく操作レバーを配置できる。
【００２４】
また、実施例１と同様に、リクライニングデバイス２０からどの程度離れた位置でリクライニング軸２０ａにロックアーム１４を固定してサイドフレーム３０からロックアーム、リンク１６を離反させるかは比較的自由に設定できる。そのため、サイドフレーム３０にボルト止めされたシートハイト機構のブレーキユニットとの干渉も容易に回避でき、形状を複雑化することなくリンク１６が形成され、操作性のよい操作レバーが得られる。
さらに、従来の構成に比較すれば、外部に露出する部分が少なくなり、見栄えがよくなる。
【００２５】
上記のように、本発明では、ロックアーム１４がサイドフレーム３０の内側でリクライニング軸２０ａに固定されている。そのため、シートベルト４４の延びたベルトアンカー４６がサイドフレーム３０の外側に位置しても、操作レバー１０のロックアーム１３などが、サイドフレームの内側でこのサイドフレームを介して固定アンカーから隔離され、シートベルトの延びたベルトアンカーの干渉を受けることなく、操作レバーを自由に配置できる。また、操作性、見栄えのよい操作レバー１０が得られる。
【００２６】
上記実施例は、この発明を説明するためのものであり、この発明を何等限定するものでなく、この発明の技術範囲内で上記以外の変形、改造等の施されたものも全てこの発明に包含されることはいうまでもない。
【００２７】
たとえば、実施例ではシートベルト４４の延びたベルトアンカー４６をアッパーレール３４Ｕ上のブラケット３２に取付けているが、シートクッションの窓側（アウターサイド）で車床に取付けてもよい。しかし、アッパーレール３４Ｕ上のブラケット３２に固定アンカー４６を取付けた構成では、着座者をシートベルトでより確実に拘束できる。
【産業上の利用可能性】
【００２８】
本発明は、リクライニング装置の操作レバーとシートベルトの延びたベルトアンカーとがシートに対して同じ側（一般的にはシートクッションの窓側）に配置されたリクライニング装置付シートに広範囲に応用できる。
【図面の簡単な説明】
【００２９】
【図１】本発明の一実施例に係る車両用シートの部分背面斜視図を示す。
【図２】本発明の別実施例に係る車両用シートの部分背面斜視図を示す。
【図３】従来における車両用シートの部分背面斜視図を示す。
【図４】（Ａ）は本発明の一実施例に係るリクライニング装置の操作レバーの正面図、（Ｂ）は従来のリクライニング装置の操作レバーの正面図をそれぞれ示す。
【符号の説明】
【００３０】
１０    操作レバー
１２    レバー本体
１３    レバーアーム
１３ａ  回動ピン
１４    ロックアーム
１６    リンク
１６ａ  連結ピン
２０    リクライニングデバイス
２０ａ  リクライニング軸
３０    サイドフレーム
４０    シートクッション
４２    シートバック
【図１】
2008080816.tif 000003
【図２】
2008080816.tif 000004
【図３】
2008080816.tif 000005
【図４】
2008080816.tif 000006